(57)【要約】  回転クロージャは、フォイルシーリングを有する個別充填可能カプセル（２）であって、回転クロージャに挿入するための、カプセル（２）を備える。フォイルシーリングのフォイルは、カプセル内容物が、クロージャによって提供されるコンテナ内に落ちるように自動的に開口されることができる。クロージャは、回転クロージャキャップ（１）、回転クロージャキャップに挿入されることができるフォイル閉鎖式カプセル（２）、及びコンテナのスパウト上に配置するためのコンテナ取付け具（３）からなる。コンテナ取付け具（３）は、内側に、内方に突出する縁領域を有する下方に突出するスリーブ（１３）を形成し、スリーブ（１３）の有効幅は、対角鋸刃（２０）であって、その切断歯を持って上方に突出する、対角鋸刃（２０）によって底部でさし渡される。カプセル（２）は、内側で、最初は、回転クロージャキャップ（１）の回転によって軸方向に下方に駆動され、そのシーリングフォイルは、鋸刃（２０）の上に押付けられ、その手段によってシーリングフォイルは対角に切断開口される。更に回転すると、カプセル（２）は、コンテナ取付け具（３）内の内側載置型スリーブ（１３）の下部内縁（２３）上に載り、その後、軸方向移動なしで回転する。シーリングフォイルは、それにより、２つの対角に対向する側面において、その円周に沿って、いずれの場合も、約１８０°だけ切断開口され、フォイル片は、波形方式で共に集められる。【選択図】図３
2017531601.tif 000002
【特許請求の範囲】
【請求項１】
回転クロージャにおいて、フォイルシーリングを有する内側載置型個別充填可能カプセル（２）であって、回転クロージャに挿入するための、カプセル（２）を有し、前記フォイルシーリングのシーリングフォイル（２６）は、カプセル内容物が、クロージャによって提供されるコンテナ内に落ちるように開口可能である、回転クロージャであって、３部分方式で設計され、回転クロージャキャップ（１）、過剰回転した位置において、前記回転クロージャキャップに挿入されることができる、フォイルシール式でかつビーカに似たカプセル（２）、及びコンテナのスパウト上にねじ込むためのコンテナ取付け具（３）からなり、前記カプセル（２）は、水蒸気を吸収するポリマーから製造され、前記シーリングフォイル（２６）によって閉鎖されることによって、少なくとも耐水蒸気方式で設計され、前記回転クロージャキャップ（１）を回転させると、前記カプセル（２）は、最初に、純粋に軸方向に、前記コンテナ取付け具（３）内で下方に駆動されることができ、各ラジアル側面上の少なくとも１つの切断歯であって、上方に突出し、鋭利縁を有する、少なくとも１つの切断歯を有する対角鋸刃（２０）によって前記シーリングフォイル（２６）を対角に切断開口した後、前記コンテナ取付け具上で接触することによって前記コンテナ取付け具（３）の下部端において回転されることができるため、前記シーリングフォイル（２６）の外周に沿う前記シーリングフォイル（２６）を、前記鋸刃（２０）から直角に突出する２つの切断要素（２８）によって、約１８０°だけ切断開口され、波形方式で共に集められることができることを特徴とする、回転クロージャ。
【請求項２】
前記カプセルの内側側面又は外側側面或は両方の前記カプセルの側面は、酸素に対するシール性を保証するための障壁層を備え、前記シーリングフォイル（２６）は耐酸素フォイルであることを特徴とする、請求項１に記載のフォイルシーリングを有する内側載置型個別充填可能カプセル（２）を有する回転クロージャ。
【請求項３】
前記カプセルの内側側面又は外側側面或は両方の前記カプセルの側面は、酸素に対するシール性以外に、ＵＶに対するシール性を同様に保証するための障壁層を備えることを特徴とする、請求項１から２のいずれか１項に記載のフォイルシーリングを有する内側載置型個別充填可能カプセル（２）を有する回転クロージャ。
【請求項４】
前記コンテナ取付け具（３）は、内側において、回転に抗して留められる方式で前記カプセル（２）の軸方向ガイドのための下方に突出するスリーブ（１３）を備え、前記スリーブ（１３）の有効幅は、対角鋸刃（２０）であって、その切断歯を持って上方に突出する、対角鋸刃（２０）によって底部でさし渡され、リブ（１８）は、内側において、前記回転クロージャキャップ（１）上で一体形成され、前記リブ（１８）は、前記過剰回転したカプセル（２０）の上部側面上の斜め凹所（８）の傾斜表面に作用するため、前記カプセル（２）は、最初は、前記クロージャキャップ（１）の回転によって純粋に軸方向に下方に駆動され、前記鋸刃（２０）によって前記シーリングフォイル（２６）を対角に切断開口した後、前記リブ（１８）によって回転されることができるため、外周に沿う前記シーリングフォイル（２６）は、約１８０°だけ、切断開口され、波形方式で共に集められることができることを特徴とする、請求項１から３のいずれか１項に記載のフォイルシーリングを有する内側載置型個別充填可能カプセル（２）を有する回転クロージャ。
【請求項５】
前記コンテナ取付け具（３）は、内側において、内方に突出する縁領域（２３）を有する下方に突出するスリーブ（１３）を形成し、前記スリーブの前記有効幅は、対角鋸刃（２０）であって、その切断歯を持って上方に突出する、対角鋸刃（２０）によって底部でさし渡され、前記スリーブ（１３）は、下部内側縁に、一時的支持体（１４）及び軸方向ガイドレール（１９）を備え、そのシーリングフォイル（２６）を下方に向けた状態の前記カプセル（２）は、その外側縁領域内のその上部側面において作られる斜め凹所（８）を備え、前記回転クロージャキャップ（１）の下部側面上のラジアルリブ（１８）は、前記斜め凹所内に係合し、また、その下部の外方に突出する縁（７）上に、前記スリーブ（１３）の内側側面上の前記ガイドレール（１９）上を軸方向に摺動するための凹所（９）を備え、前記カプセル（２）は、最初に、下部縁（７）によって、前記一時的支持体（１４）上に載り（ｌｙ）、回転によって、前記クロージャキャップ（１）は、最初に、前記鋸刃（２０）の前記切断歯によって前記カプセル（２）のシーリングフォイル（２６）を対角に切断開口しながら、回転なしで、前記一時的支持体（１４）を超えて前記スリーブ（１３）に沿って軸方向に下方に押付けられることができ、前記凹所（９）は、それにより、底部において前記ガイドレール（１９）の下部端を通過し、前記カプセル（２）は、その縁と共に、その後、前記突出部（２３）の上に載り、更に回転すると、前記カプセル（２）のシーリングフォイル（２６）は、外周に沿って、切断要素（２８）であって、鋸刃（２０）に直角に走行する方式で前記鋸刃（２０）の両端に一体形成される、切断要素（２８）によって、約１８０°だけ切断開口され、波形方式で共に集められることができることを特徴とする、請求項４に記載のフォイルシーリングを有する内側載置型個別充填可能カプセル（２）を有する回転クロージャ。
【請求項６】
前記鋸刃（２０）は、２つのラジアルにおいて、鋭利切断縁を有する上方に突出する幾つかの切断歯を備え、いずれの場合も、切断要素（２８）は、上から見て時計方向を指す方式で、鋸歯平面に直角に鋸刃（２０）の両端上で一体形成され、斜めに下がる鋭利切断縁を備えることを特徴とする、請求項１から５のいずれか１項に記載のフォイルシーリングを有する内側載置型個別充填可能カプセル（２）を有する回転クロージャ。
【請求項７】
前記カプセル（２）は、３〜６ｍｌの充填体積を有することを特徴とする、請求項１から６のいずれか１項に記載のフォイルシーリングを有する内側載置型個別充填可能カプセル（２）を有する回転クロージャ。
【請求項８】
保証ストリップ（２７）が、シンロケーション又は微細材料ブリッジによって、前記コンテナ取付け具（３）上の底部に一体形成されるように、保証ストリップ（５）は、材料ブリッジによって、前記回転クロージャキャップ（１）上の底部に一体形成されることを特徴とする、請求項１から６のいずれか１項に記載のフォイルシーリングを有する内側載置型個別充填可能カプセル（２）を有する回転クロージャ。
【発明の詳細な説明】
【技術分野】
【０００１】
本発明は、回転クロージャに関し、回転クロージャ内に個別充填可能カプセルが挿入されることができ、前記カプセルは、その後、回転クロージャを開口すると、自動的に開口し、その内容物が、回転クロージャによって提供されるコンテナ内に落ちる。
【背景技術】
【０００２】
多くの飲料は、今日、濃縮物を水と混合することによって生産される。完成した混合物を配送する代わりに、ボトラーが単に所定の場所で水を充填できた場合、また、消費者のところで、初めてボトルを開口することによって、この濃縮物が、その後、水と混合されるまで、濃縮物がボトル内で水に付加されなかった場合、ずっと効率的であることになる。同じことは、同様に、発泡粉末及び同様なもの等のバルク材料に当てはまる。
【０００３】
異なるこうしたカプセルクロージャは、例えば国際公開第ＷＯ／２０１２／１７５３１７号パンフレットから、このために知られている。この充填可能クロージャは、このクロージャに属する個別充填式カプセルの空化を起動するのに役立つ。クロージャは、クロージャキャップからなり、クロージャキャップは、コンテナのねじ溝付きスパウト上にねじ込まれることができ、クロージャキャップ内に、カプセルの下方に向くシーリングフォイルを有する個別充填式カプセルが、閉鎖状態で下から挿入されることができる。挿入されるカプセルの上部側面は、変形可能方式で設計され、カプセルの下方に向くシーリングフォイルが破断又は破裂するように軸方向に下方に押付けられることができる。軸方向に下方に突出するプロファイルは、クロージャキャップの下部側面上に一体形成され、挿入されるカプセルの変形可能上部側面内の凹所に嵌合し、前記凹所はこのプロファイルの断面に一致する。凹所の外側下部角は、プロファイルをこの凹所に入るよう押下げることによってカプセルのシーリングフォイル上に押付けられる。シーリングフォイルが弱化ラインを備え、弱化ラインによって形成される円セグメントの２分ラインに角が接するため、これらの弱化ラインを破裂開口した後、これらの円セグメントは、角から下方に旋回し、下方旋回位置に保持されるべきである。
【０００４】
国際公開第ＷＯ／２００９／１００５４４４号パンフレットは別の解決策を示す。ここで、起動用のプッシュボタンを有する充填可能クロージャは、コンテナネック上にねじ込む又はうち当てるためのスカート、及び、クロージャキャップであって、このスカートに対するかつその上のヒンジ接続部の周りで旋回されることができ、また、カチッと入れられることができる、クロージャキャップからなる。シーリングフォイルによって底部で閉鎖される個別充填可能コンテナは、穿孔又は切断開口されることができる。クロージャは、一方で、２つのコンポーネント、特に、その下部側面に配置され、上方に突出する歯を有する穿孔及び切断デバイスを有するスカート、並びに、一般的なシングルピース射出成形部品としてのクロージャキャップ、また、他方で、シーリングフォイルで閉鎖される個別製造式で充填式のコンテナからなる。クロージャは、変形可能外側環状部を有するキャップコベットを備えるため、軸方向に下方に非可逆的に押付けられることができる押付けディスクを形成する。スカート内に逆さまに挿入される、コンテナ上に押付けられることができる下方に向く受取りスリーブは、クロージャキャップの下部側面上に形成され、このスリーブは、軸方向に排他的に可動であり、また、コンテナのガイド要素として働くと想定される。コンテナは、シーリングフォイルが下方に向いた状態でスカート内に逆さまに挿入される個別製造式でかつ充填式のコンテナを有するこのキャップカバーを下に押付けることによって、下方に押付けられることができる。この理由で、下方に移動するシーリングフォイルは、穿孔及び切断要素によって穿孔され切断開口される。
【０００５】
更に知られている解決策は、下部側面でクロージャ自体から形成され、シーリングフォイルによって底部で閉鎖される弧に似たカプセルと共に働く。カプセルは、開口するため下に押付けられることができ、その手段によって、切断要素は、底部からまた縁側面からシーリングフォイルを穿孔する、又は、フォイルを、その内部に配置されるスタンプによって破裂開口させる。しかし、シーリングフォイルの開口は、或る程度まで非制御方式で常に行われる。フォイルは、カプセル内容物の一部が、しばしば流出しない又は吐出しないように一方の側面から切断開口されるだけである、又は、しかし、フォイルは、最初に、開口要素によって内側から張力をかけられ、最後に、まさに最も弱い場所で破裂し、そのせいで、生じる開口は不規則でありかつ輪郭が明確でないが、ランダムに生じ、同様に、確実な弱化を保証しない。
【先行技術文献】
【特許文献】
【０００６】
【特許文献１】国際公開第ＷＯ／２０１２／１７５３１７号パンフレット
【特許文献２】国際公開第ＷＯ／２００９／１００５４４４号パンフレット
【発明の概要】
【発明が解決しようとする課題】
【０００７】
個別充填可能カプセルを有する回転クロージャを作成することが本発明の目的であり、前記カプセルは、酸素及び水蒸気に対してシールされ、必要とされる場合、同様に、ＵＶ不透明方式で設計されることができ、回転クロージャは、その内側載置型カプセルが、回転キャップを単に回転させることによって確実にかつ完全に開口されるように、更に簡単な方式で設計させることができるべきである。これによって、カプセル内容物が、最初に、外部影響物から最適に保護され、必要とされるとき、また、最初に回転クロージャを開口すると、内容物が、この回転クロージャによって提供されるコンテナ内に、確実でかつ完全な方式で落ちることが保証される。更に、所与のスパウト直径によって、カプセルは、従来の解決策より大きな充填体積を提供できるべきである。
【課題を解決するための手段】
【０００８】
この目的は、回転クロージャによって達成され、回転クロージャは、フォイルシーリングを有する内側載置型個別充填可能カプセルであって、回転クロージャに挿入するための、カプセル（２）を有し、フォイルシーリングのシーリングフォイルは、カプセル内容物が、クロージャによって提供されるコンテナ内に落ちるように開口可能であり、回転クロージャが、３部分方式で設計され、回転クロージャキャップ、過剰回転した位置において、回転クロージャキャップに挿入されることができる、フォイルシール式でかつビーカに似たカプセル、及びコンテナのスパウト上にねじ込むためのコンテナ取付け具からなり、カプセルが、水蒸気を吸収するポリマーから製造され、耐酸素シーリングフォイル（２６）によって閉鎖されることによって、少なくとも耐酸素及び耐水蒸気方式で設計され、回転クロージャキャップを回転させると、カプセルが、最初に、純粋に軸方向に、コンテナ取付け具（３）内で下方に駆動されることができ、各ラジアル側面上の少なくとも１つの切断歯であって、上方に突出し、鋭利縁を有する、少なくとも１つの切断歯を有する対角鋸刃によってシーリングフォイルを対角に切断開口した後、この取付け具上で接触することによってコンテナ取付け具の下部端において回転されることができるため、その外周に沿うシーリングフォイルが、鋸刃から直角に突出する２つの切断要素によって、約１８０°だけ切断開口され、波形方式で共に集められることができる点で、回転クロージャは特徴付けられる。
【０００９】
カプセルをチャージされることができ、また、空化するためのものであるこの回転クロージャの１つの実施形態の例が、以降で述べられ、その機能がこれらの図によって説明される。
【図面の簡単な説明】
【００１０】
【図１】側面から見た、組立てる前のその３部分を有する回転クロージャを示す図である。
【図２】上から斜めのビューで、同じ回転軸上に配置された回転クロージャの３部分を示す図である。
【図３】下から斜めのビューで、同じ回転軸上に配置された回転クロージャの３部分を示す図である。
【図４】鋸刃を有する直径のわずかに前方の、断面内の、その３部分を有する組立て済みの回転クロージャを示す図である。
【図５】シーリングフォイルを切断開口するときの、外側切断要素を有する鋸刃を示す図である。
【発明を実施するための形態】
【００１１】
図１において、側面からのまた組立てる前の、その３部分を有する回転クロージャを見ることができる。回転クロージャは、回転クロージャキャップ１、シーリングフォイル２６によって開口端において閉鎖される過剰回転したビーカをここでは形成するカプセル２、並びに、コンテナ取付け具３からなる。回転クロージャキャップは、よりよく把持され回転されるように、外側に波形４又はフルーティングを有する。下部端において、回転クロージャは、少数の微細材料ブリッジによって回転クロージャキャップ１上に保持される保証ストリップ５を備える。カプセル２は、好ましくは、水蒸気を吸収するポリマーから製造される。主成分としての主ポリマーは、パッキング製品の構造を保証し、活性ポリマー成分は、水分及び酸素の吸収等の所望の特性を提供する。代替的に又は付加的に、カプセル２の内側又は外側側面或は両方の側面は、酸素及び水蒸気の通過に抗する障壁層をコーティングされることができる。カプセル２のＵＶ不透過性は、同様に、内側又は外側の障壁層によって達成されることができる。カプセル２は、特別に設計されたベースを有する。その過剰回転した位置のせいで頂部に載置するこのベースは、ラジアルに外方に下がる幾つかの斜めＶ状凹所８であって、それぞれが、Ｖ状断面を形成し、円周にわたって分配される、幾つかの斜めＶ状凹所８を形成するように形作られる。円周の方向に上がる幾つかのリブ６は、ベース上に一体形成され、これらのリブはそれぞれ、時計方向に上がるランプを形成する。底部において、カプセル２は、シーリングフォイルによって閉鎖され、カプセル２は、個別の充填後に、直立位置でシールされる。所定の場所に関する、カプセル２のこの充填及びシーリングは、３部分の組立ての場所から遠隔で行われることができる。底部で、カプセル２の縁７は、わずかな程度、側方に突出し、少数の場所において凹所９によって中断される。コンテナ取付け具３は、カプセル２の下に認識されることができる。２つの弧状リブ１０であって、その端の間で、中間空間１２が、それぞれの場合に開口したままである、２つの弧状リブ１０は、この取付け具の上部側面上に立ち、前記上部側面は平面環状部を形成する。外側で、外方に突出する突起１１は、それぞれの場合に、弧状リブ１０上でその中央で一体形成される。底部で、コンテナ取付け具３は、直径が減少したスリーブ１３内に延び、一時的支持体１４は、このスリーブ上でわずかに内方に突出する。更に、２つのドッグ１５は、コンテナ取付け具３上で、外側で、２つの対角に対向する場所で一体形成される。全てのこれらの要素の機能は、回転クロージャの機能の説明によって、以降で明らかになる。
【００１２】
しかし、最初に、図２は、上から斜めのビューで、その３部分が同じ回転軸上に配置された状態の回転クロージャを示す。回転クロージャキャップ１の平坦上側側面、斜め凹所８であって、断面がＶ状であり、カプセルベースの縁内に、外方に下がる方式で窪む、斜め凹所８を有するビーカ状カプセル２の平坦ベース、並びに、その外側円周縁に沿ってカプセルベース上を延びるリブ６が認識されることができる。再び、弧状リブ１０であって、その端の間に中間空間１２を有する、弧状リブ１０、並びに、コンテナ取付け具３上で外側において一体形成された突起１１が認識されることができる。最初に、軸方向ガイド１０、並びに、一時的支持体１４であって、内部にわずかに突出し、カプセル２の縁７用の一時的支持体として役立つ、一時的支持体１４は、コンテナ取付け具３の内側で作られる。カプセル２はコンテナ取付け具３に挿入される。一時的支持体１４は、回転クロージャが作動されない限り、この位置にカプセル２を保持する。一時的支持体１４は、カプセル２上のシーリングフォイル２６が、意図的に開口されるまで、無傷のままであることを保証する。
【００１３】
図３は、下から斜めのビューで、同じ回転軸上に配置された回転クロージャの３部分を示す。ここで、回転クロージャキャップ１の内側に対するビューは、明瞭であり、このビューにおいて、受取りスカート１６が認識されることができ、受取りスカート１６内に、カプセル２が、カプセル２のベースが前方にある状態で挿入される。それにより、斜め凹所８は、受取りスカート１６の内側のリブ１８の下に載置され、これらのリブ１８は、リング１７上で外側に一体形成され、ラジアル方向に延び、リングは、カプセルベース用の支持体として働く。更に、２つの停止ドッグ２４が認識されることができ、２つの停止ドッグ２４は、回転クロージャキャップ１の内側において、互いに対角に対向して配置され、回転制限器として働く。次のコンポーネントは、カプセル２であり、カプセル２は、カプセル２内ヘのビューが明瞭になるように、シーリングフォイル２６なしでここでは示される。頂部に、すなわち、カプセルのベース上の凹所８が認識されることができる。コンテナ取付け具３は、まさに底部に示される。部分が組立てられると、カプセル２がその中に載置されるようになるスリーブ１３は、この取付け具３上で認識されることができる。それにより、カプセル２は、その縁７内のその凹所９を有するカプセル２は、軸方向ガイドレール１９上をたどって押付けられ、その縁７は、最終的に、一時的支持体１４上で停止する。一時的支持体１４に対して十分な圧力があると仮定すると、一時的支持体１４は、屈し又は崩壊し、カプセル２の縁７を、縁をわずかに変形させながら一時的支持体１４のそばを通過させる。上方に向く切断歯を有する対角鋸刃２０は、スリーブ１３の下部有効幅にわたって延在する。ここで示す例において、これは、整数の三角形に形作られた切断歯であり、上方に向く側面は鋭利切断縁として設計される。しかし、鋸刃２０は、同様に、フォイル平面の平面に斜めに延びる切断縁を有する単一切断歯だけが、各ラジアル側面上に形成されるように設計されることができる。重要なことは、切断縁がフォイルに対して斜めに延びるため、鋸刃の上にフォイルを下げると、切断動作は、少なくとも１つの切断歯において又は幾つかの切断歯において起こることである。コンテナ取付け具３は、内側ねじ山２１を備えるため、内側ねじ山２１は、一般的なコンテナスパウトの外側ねじ山上にねじ込まれることができる。互いに対角に配置される２つの停止ドッグ１５は、コンテナ取付け具３のほぼ半分の高さで外側肩部２５上に一体形成され、回転クロージャキャップ１上の停止ドッグ２４と協働するため、開口プロシージャによって、回転クロージャキャップ１は、１８０°のちょうど手前まで、最初に回転されることができる。単に力の増加によって、回転クロージャキャップ１は、解除方向、すなわち、ねじを緩める方向に更に回転されることができ、回転クロージャキャップ１は、その後、コンテナ取付け具３と同時に回転し、コンテナ取付け具３のねじを回してコンテナスパウトから外す。
【００１４】
回転クロージャの機能は図４によって述べられる。図４は、鋸刃２０を有する直径のわずかに前方の、断面内の、その３部分を有する組立て済みの回転クロージャを示す。カプセル２は、ここでは、回転クロージャキャップ１内の受取りスカート１６内に着座する。リブ１８は、ここでは頂部に載置されるカプセルベース内のまさに斜め凹所８内で延びる。底部で、カプセル縁７は、一時的支持体１４上に載り、縁７内の凹所９は、軸方向に延びるガイドレール１９上をたどって押付けられるため、縁７は、回転に抗して留められるようにガイドレール１９上に保持され誘導され、カプセル２は、その後、コンテナ取付け具３の内側で回転できない。充填済みカプセル２が内側にあるクロージャがボトラーに送出されるその初期位置において、シーリングフォイル２６は、鋸刃２０の切断歯の先端のすぐ上に延びる。このコンステレーションにおいて、回転クロージャは、コンテナスパウト上にねじ込まれ、ついには、シンロケーション（ｔｈｉｎ  ｌｏｃａｔｉｏｎ）で又は少数の材料ブリッジ上で保持されるその下部円周保証ストリップ２７において、リブ２２が、コンテナスパウト上の円周突出部の下にラッチする。回転クロージャは、その後、確実な方式でかつ改ざん防止機能を持って、コンテナ上で組立てられる。
【００１５】
開口するため、回転クロージャキャップ１は、上から見て反時計方向に回転される。それにより、最初に、保証ストリップ５は、回転クロージャキャップ１から引きちぎられ、このキャップは更に回転されることができる。これによって、カプセル２は、回転クロージャキャップ１上のリブ１８であって、斜め凹所８の傾斜平面に作用する、リブ１８によって回転することなく下方に駆動される。しかし、カプセル２は、ガイドレール１９上での凹所９の誘導によって回転できない。したがって、カプセル２は、純粋に軸方向の移動を下方に受け、それにより、カプセルの縁７は、最終的に、一時的支持体１４の上で更に下方に押され、シーリングフォイル２６は、鋸刃２０の切断歯の上で下に押される。きれいな対角切断部が、シーリングフォイル２６内に生じ、最終的に、その縁７を有するカプセル２は、下部スリーブ端上で内方に突出する突出部２３に載る。カプセル２がこの位置に到達すると、下部縁７は、ガイドレール１９の下部縁を通過し、したがって、カプセル２は、回転するため解除される。カプセルは、その後、回転クロージャキャップ１の継続する回転によって同時に回転する。
【００１６】
シーリングフォイルが、その後、どのように開口されるかは、図５から推定されることができ、図５において、ここでは変形として示す鋸刃は、いずれの場合も、この鋸刃の両方の縁において、上方に向く鋭利切断縁を有する切断歯を備える。９０°だけ完全に外方に曲げられ、円周方向を指す切断要素２８は、それぞれ、斜めに下がる鋭利切断縁を備え、上から見ると、時計方向を指す。カプセル２を回転させると、これらの切断要素は、シーリングフォイル２６を、矢印で描かれるように、その円周に沿って、いずれの場合も対角に対向する側面でかつその同じ方向に切断する。それにより、後続の鋸刃ラジアルは、カーテンと同様の方式で、その前方にある半球シーリングフォイルセグメントを共に集めるため、コンテナに入る下方の通路が、最大程度までクリアにされ、したがって、カプセルの内容物は、コンテナ内に確実に落ちることができる。回転クロージャキャップ１が、ここで、回転され続ける場合、回転クロージャキャップ１の内側の停止ドッグ２４は、コンテン取付け具３上のドッグ１５を捕捉し、したがって、全コンテナ取付け具３を開口方向に回転させる。コンテナ取付け具３は、保証スプリット２７を引きちぎりながら、コンテナスパウトからねじ込まれ、コンテナの内容物は、その後、吐出されることができる。
【００１７】
このクロージャ設計の幾何形状は、嵌合されるコンテナスパウトに対する特に大きなカプセル体積の形成を可能にする。６ｍｌまでの充填体積を有するカプセルは、図面で示す実施形態によればそうであるように、サイズ２８のコンテナスパウトによって実現されることができる。シーリングフォイル２６の開口は、確実な方式で行われ、また、クロージャがコンテナスパウトから完全に除去されるまで、回転クロージャキャップ１が、単一方向に―論理的開口方向に―回転される必要があるだけであることから、クロージャの開口は、説明を必要としない。カプセル２からコンテナ内への物質の付加は、それにより、上述したように自動的に行われる。
【符号の説明】
【００１８】
１  回転クロージャキャップ
２  カプセル
３  コンテナ取付け具
４  回転クロージャキャップ１上のフルーティング
５  回転クロージャキャップ１上の保証ストリップ
６  カプセルベース上のリブ
７  カプセル２の突出縁
８  カプセル２のベース内の斜め凹所
９  縁７内の凹所
１０  コンテナ取付け具３の上の弧状リブ
１１  弧縁上の突起
１２  弧端の間の中間空間
１３  スリーブ
１４  一時的支持体
１５  コンテナ取付け具３上の外側のドッグ
１６  回転クロージャ上の内側の受取りスカート
１７  受取りスカートのベース上のリング
１８  受取りスカート内の内側のリブ
１９  スリーブ１３上の内側の軸方向ガイドレール
２０  ２つのラジアルを有する対角鋸刃
２１  コンテナ取付け具３上の内側ねじ山
２２  コンテナ取付け具３の保証ストリップ２７上のリブ
２３  下部スリーブ端の内方に突出する縁
２４  回転クロージャキャップ１上の停止ドッグ
２５  コンテナ取付け具３上の外側の肩部
２６  シーリングフォイル
２７  コンテナ取付け具３上の保証ストリップ
２８  鋸刃２０に直角に延びる切断要素
【図１】
2017531601.tif 000003
【図２】
2017531601.tif 000004
【図３】
2017531601.tif 000005
【図４】
2017531601.tif 000006
【図５】
2017531601.tif 000007
【国際調査報告】
2017531601.tif 000008
2017531601.tif 000009
2017531601.tif 000010
2017531601.tif 000011